(57)【要約】【課題】蒸発皿内に配された放熱用の冷媒管を低コストで支持することができる冷蔵庫を提供する。【解決手段】機械室１０内に配されてドレン水を貯水する蒸発皿８と、冷凍サイクルの高温側となって放熱するとともに蒸発皿８内に配される冷媒管１２と、蒸発皿８と機械室１０の上壁１０ａとの間に挟持されるとともに冷媒管１２を挟むスリット３ａを有して冷媒管１２を保持する発泡樹脂製の保持部材３とを備えた。【選択図】図３
2008202806.tif 000002
【特許請求の範囲】
【請求項１】
機械室内に配されてドレン水を貯水する蒸発皿と、冷凍サイクルの高温側となって放熱するとともに前記蒸発皿内に配される冷媒管と、前記蒸発皿と前記機械室の上壁との間に挟持されるとともに前記冷媒管を挟むスリットを有して前記冷媒管を保持する発泡樹脂製の保持部材とを備えたことを特徴とする冷蔵庫。
【請求項２】
前記蒸発皿に立設して前記保持部材を支持するリブを前記蒸発皿と一体成形したことを特徴とする請求項１に記載の冷蔵庫。
【請求項３】
前記保持部材の下部が吸水性を有するとともに上部が非吸水性を有することを特徴とする請求項１または請求項２に記載の冷蔵庫。
【請求項４】
前記スリットを前記保持部材の対向する２面に設けたことを特徴とする請求項１〜請求項３のいずれかに記載の冷蔵庫。
【請求項５】
前記保持部材の発泡倍率を３０倍〜６０倍にしたことを特徴とする請求項１〜請求項４のいずれかに記載の冷蔵庫。
【発明の詳細な説明】
【技術分野】
【０００１】
本発明は、機械室内にドレン水を貯水する蒸発皿を備えた冷蔵庫に関する。
【背景技術】
【０００２】
従来の冷蔵庫は特許文献１に開示されている。この冷蔵庫は冷媒が流通して冷凍サイクルを運転する圧縮機が機械室内に配される。圧縮機の冷媒流出側には凝縮器が接続され、冷媒流入側には冷却器が接続される。冷却器を除霜したドレン水は機械室内に配された蒸発皿に貯水される。圧縮機と凝縮器とを接続する冷媒管は高温の冷媒が流通して放熱し、該冷媒管を蒸発皿内に配置することによって蒸発皿内のドレン水の蒸発が促進される。これにより、ドレン水の溢水を防止することができる。
【０００３】
上記の冷蔵庫によると、圧縮機と凝縮器との間の冷媒管が支持されていないため輸送時の振動によって冷媒管の破損による冷媒漏れが生じる問題があった。この問題を解決するために、他の従来の冷蔵庫は冷媒管をゴムブッシュにより覆い、ゴムブッシュを保持するゴムブッシュホルダーがビス等によって機械室に固定されている。これにより、冷媒管が支持される。
【０００４】
【特許文献１】特開閉１０−８９８３７号公報（第２頁−第３頁、第４図）
【発明の開示】
【発明が解決しようとする課題】
【０００５】
しかしながら、後者の冷蔵庫によると、冷媒管を固定するための部品点数が多くなるため冷蔵庫のコストが増大する問題があった。
【０００６】
本発明は、蒸発皿内に配された放熱用の冷媒管を低コストで支持することができる冷蔵庫を提供することを目的とする。
【課題を解決するための手段】
【０００７】
上記目的を達成するために本発明は、機械室内に配されてドレン水を貯水する蒸発皿と、冷凍サイクルの高温側となって放熱するとともに前記蒸発皿内に配される冷媒管と、前記蒸発皿と前記機械室の上壁との間に挟持されるとともに前記冷媒管を挟むスリットを有して前記冷媒管を保持する発泡樹脂製の保持部材とを備えたことを特徴としている。
【０００８】
この構成によると、冷凍サイクルの高温側となる冷媒管が蒸発皿内に配され、蒸発皿内に貯水されるドレン水が冷媒管の放熱により蒸発する。蒸発皿と機械室の上壁との間には発泡樹脂製の保持部材が挟持され、冷媒管は保持部材に設けたスリットに挟まれて保持される。
【０００９】
また本発明は、上記構成の冷蔵庫において、前記蒸発皿に立設して前記保持部材を支持するリブを前記蒸発皿と一体成形したことを特徴としている。この構成によると、保持部材はリブ上に設置して支持される。
【００１０】
また本発明は、上記構成の冷蔵庫において、前記保持部材の下部が吸水性を有するとともに上部が非吸水性を有することを特徴としている。この構成によると、蒸発皿内のドレン水に保持部材が浸水し、吸水性を有する下部に浸透したドレン水が蒸発するとともに非吸水性を有する上部が機械室の上壁に当接する。
【００１１】
また本発明は、上記構成の冷蔵庫において、前記スリットを前記保持部材の対向する２面に設けたことを特徴としている。この構成によると、冷媒管の圧縮機に接続されて蒸発皿内に侵入する側が一方のスリットに挟まれ、蒸発皿内から退出して凝縮器に接続される側が他方のスリットに挟まれる。
【００１２】
また本発明は、上記構成の冷蔵庫において、前記保持部材の発泡倍率を３０倍〜６０倍にしたことを特徴としている。
【発明の効果】
【００１３】
本発明によると、蒸発皿と機械室の上壁との間に挟持される保持部材のスリットで挟んで冷媒管を保持したので、簡単に冷媒管を支持することができる。従って、低コストで冷媒管を支持し、輸送時の振動によって冷媒管の破損による冷媒漏れを防止することができる。
【００１４】
また本発明によると、蒸発皿に立設して保持部材を支持するリブを蒸発皿と一体成形したので、保持部材を簡単に支持することができる。
【００１５】
また本発明によると、保持部材の下部が吸水性を有するとともに上部が非吸水性を有するので、保持部材の下部をドレン水に浸漬して蒸発面積を増やすことができる。従って、ドレン水を迅速に蒸発させることができる。また、非吸水性の上部が機械室の上壁に当接し、機械室の上壁の錆を防止することができる。
【００１６】
また本発明によると、スリットを保持部材の対向する２面に設けたので、蒸発皿内に侵入する側と蒸発皿内から退出する側の冷媒管をそれぞれスリットの端部に当接させることができる。これにより、組立時の保持部材と冷媒管との位置ずれを防止して簡単に組み立てることができる。
【００１７】
また本発明によると、保持部材の発泡倍率を３０倍〜６０倍にしたので、適当な硬度を有して冷媒管を確実に保持できるとともに、冷媒の脈流や圧縮機の振動等によって生じる冷媒管の振動を効率よく吸収することができる。
【発明を実施するための最良の形態】
【００１８】
以下に本発明の実施形態を図面を参照して説明する。図１、図２、図３は第１実施形態の冷蔵庫の下部を示す平面図、背面図及び側面断面図である。冷蔵庫１の下部には機械室１０が設けられ、機械室１０内には冷媒を流通させて冷凍サイクルを運転する圧縮機４が配置される。圧縮機４の冷媒流入側には冷媒管１１を介して冷却器（不図示）が接続され、冷媒流出側には冷媒管１２を介して凝縮器（不図示）が接続される。また、冷却器と凝縮器との間に膨張器が配される。
【００１９】
圧縮機４により圧縮された高温高圧の冷媒は凝縮器で放熱しながら凝縮する。高温の冷媒は膨張器で膨張して低温低圧となり、冷却器に送られる。冷却器に流入する冷媒は吸熱しながら蒸発して低温のガス冷媒となり、圧縮機４に送られる。これにより、冷媒が循環して冷凍サイクルが運転される。
【００２０】
圧縮機４の上方には冷却器の除霜によるドレン水を貯水する蒸発皿８が配される。蒸発皿８はポリプロピレン等の樹脂成形品から成り、底面が圧縮機４の上部に沿って湾曲する。蒸発皿８内には冷凍サイクルの高温高圧となる側の冷媒管１２が配される。冷媒管１２は蒸発皿８内で蛇行する蛇行部１２ｃを有し、放熱面積が広く確保される。蛇行部１２ｃから圧縮機４側に延びる上流部１２ａ及び凝縮器（不図示）側に延びる下流部１２ｂが保持部材３によって保持される。
【００２１】
図４、図５は保持部材３を示す側面図及び上面図である。また、図６は図４のＡ矢視図を示している。保持部材３は発泡倍率が３０倍〜６０倍のポリエチレン等の発泡樹脂から成り、弾性変形可能に形成される。保持部材３の下面には切欠き部３ｃが設けられる。切欠き部３ｃは、蒸発皿８と一体成形された蒸発皿８の底面に立設されるリブ８ａ（図２参照）に嵌合する。保持部材３には一側面から水平に延びるスリット３ａが形成される。
【００２２】
保持部材３は弾性変形して蒸発皿８のリブ８ａと機械室１０の上壁１０ａとの間に挟持される。冷媒管１２の上流部１２ａ及び下流部１２ｂはスリット３ａに挟まれて保持される。これにより、冷媒管１２が機械室１０内に支持されている。高温の圧縮機４及び冷媒管１２の蛇行部１２ｃの放熱によって蒸発皿８内のドレン水の蒸発が促進され、蒸発皿８の溢水を防止することができる。尚、蒸発皿８の周壁と機械室１０の上壁１０ａとの間に保持部材３を挟持してもよい。
【００２３】
本実施形態によると、蒸発皿８と機械室１０の上壁１０ａとの間に挟持される保持部材３のスリット３ａで挟んで冷媒管１２を保持したので、簡単に冷媒管１２を支持することができる。従って、低コストで冷媒管１２を支持し、輸送時の振動によって冷媒管１２の破損による冷媒漏れを防止することができる。
【００２４】
また、保持部材３の発泡倍率を３０倍〜６０倍にしたので、適当な硬度を有して冷媒管１２を確実に保持できるとともに、冷媒の脈流や圧縮機４の振動等によって生じる冷媒管１２の振動を効率よく吸収することができる。
【００２５】
次に、図７は第２実施形態の冷蔵庫１の保持部材３の側面図を示している。説明の便宜上、前述の図４〜図６に示す第１実施形態と同一の部分は同一の符号を付している。本実施形態は冷媒管１２を保持する保持部材３が対向する両側面から延びる２つのスリット３ａ、３ｂを有している。その他の部分は第１実施形態と同様である。
【００２６】
冷媒管１２の上流部１２ａ及び下流部１２ｂはそれぞれスリット３ａ、３ｂに挟まれて保持される。前述の図１に示すように、冷媒管１２の上流部１２ａ及び下流部１２ｂは冷蔵庫１の左右方向に対して斜めに配される。このため、蒸発皿４内に侵入する側となる上流部１２ａと、蒸発皿４内から退出する側となる下流部１２ｂをそれぞれスリット３ａ、３ｂの端部に当接させて保持部材３と冷媒管１２との相対位置を維持できる。
【００２７】
本実施形態によると、第１実施形態と同様の効果を得ることができるとともに、冷蔵庫１の組立時の保持部材３と冷媒管１２との位置ずれを防止して簡単に組み立てを行うことができる。
【００２８】
次に、図８は第３実施形態の冷蔵庫１の保持部材３の側面図を示している。説明の便宜上、前述の図１〜図６に示す第１実施形態と同一の部分は同一の符号を付している。本実施形態は冷媒管１２を保持する保持部材３の上部３ｄと下部３ｅとが異なる材料から成っている。その他の部分は第１実施形態と同様である。
【００２９】
保持部材３の上部３ｄは非吸水性を有する発泡樹脂から成り、下部３ｅは吸水性を有する発泡樹脂から成っている。また、保持部材３の下面の切欠き部３ｃが深く形成され、切欠き部３ｃがリブ８ａ（図２参照）と嵌合して下部３ｅが蒸発皿８の底面近傍まで到達するようになっている。
【００３０】
保持部材３の下部３ｅは蒸発皿８に溜まるドレン水に浸漬され、吸水性を有する下部３ｅにドレン水が浸透する。従って、第１実施形態と同様の効果を得ることができるとともに、蒸発面積が増加してドレン水を迅速に蒸発させることができる。また、機械室１０の上壁１０ａ（図２参照）に接する上部３ｄが非吸水性を有するため、鉄板等により形成される上壁１０ａの錆の発生を防止することができる。尚、第２実施形態と同様に、保持部材３の対向する２面にスリット３ａ、３ｂ（図７参照）を設けてもよい。
【産業上の利用可能性】
【００３１】
本発明によると、機械室内にドレン水を貯水する蒸発皿を備えた冷蔵庫に利用することができる。
【図面の簡単な説明】
【００３２】
【図１】本発明の第１実施形態の冷蔵庫の下部を示す平面図
【図２】本発明の第１実施形態の冷蔵庫の下部を示す背面図
【図３】本発明の第１実施形態の冷蔵庫の下部を示す側面断面図
【図４】本発明の第１実施形態の冷蔵庫の保持部材を示す側面図
【図５】本発明の第１実施形態の冷蔵庫の保持部材を示す上面図
【図６】図４のＡ矢視図
【図７】本発明の第２実施形態の冷蔵庫の保持部材を示す側面図
【図８】本発明の第３実施形態の冷蔵庫の保持部材を示す側面図
【符号の説明】
【００３３】
１    冷蔵庫
３    保持部材
３ａ、３ｂ  スリット
３ｄ  上部
３ｅ  下部
４    圧縮機
８    蒸発皿
８ａ  リブ
１０    機械室
１０ａ  上壁
１１、１２  冷媒管
１２ａ  上流部
１２ｂ  下流部
【図１】
2008202806.tif 000003
【図２】
2008202806.tif 000004
【図３】
2008202806.tif 000005
【図４】
2008202806.tif 000006
【図５】
2008202806.tif 000007
【図６】
2008202806.tif 000008
【図７】
2008202806.tif 000009
【図８】
2008202806.tif 000010